(57)【要約】  【課題】  工事計画から完工に至る各段階の進捗状況がリアルタイムで把握可能であり、該工事に関連する各部署・担当者間等のコミュニケーションに要する負担を軽減する。  【解決手段】  複数のクライアント３と、これら全てのクライアント３とインターネット２を介して接続されたサーバ１と、それぞれの工事現場から工事進捗状況情報を含む文字情報及び画像情報を送受信可能である携帯端末４とを備える。サーバ１は、工事管理データ格納手段並びに工事現場写真格納手段を備える。クライアント３は、工事計画に関する入力データを登録する手段を備え、進捗状況に関する文字情報及び現場写真情報を登録する手段並びに参照表示する手段を備える。携帯端末４は進捗状況に関する文字情報及びその撮影した写真データをサーバ１に送信して登録する手段及び登録されている進捗情報を参照する手段を有する。【選択図】  図１
2006338561.tif 000002
【特許請求の範囲】
【請求項１】
サーバと、該サーバとネットワークを介して接続された複数のクライアント及び携帯端末とを備えた工事進捗状況管理システムであって、
前記サーバは、前記クライアント及び前記携帯端末から入力された工事に関するデータを格納保管する工事管理データ格納手段並びに前記携帯端末から入力された工事現場写真を格納保管する工事現場写真格納手段を備え、
前記クライアントは、工事計画に関する入力情報を前記サーバの工事管理データ格納手段に登録する手段、工事の進捗状況に関する文字情報を前記サーバの工事管理データ格納手段に登録する手段、工事の進捗状況に関する現場写真の画像情報を工事現場写真格納手段に登録する手段、並びに工事の進捗状況に関する文字情報及び現場写真情報をそれぞれ前記サーバの工事管理データ格納手段及び工事現場写真格納手段から読み出して表示する進捗表示手段を備え、
前記携帯端末は、工事の進捗状況情報を前記サーバの工事管理データ格納手段に登録する進捗状況情報登録手段、写真の撮影手段、及び撮影した工事の進捗状況に関する現場写真の画像情報を前記サーバの工事現場写真格納手段に登録する登録手段を備えるものとした工事進捗状況管理システム。
【請求項２】
前記クライアントに於ける進捗表示手段が、カレンダー機能と連動して作業計画と実際の進捗状況とを同一画面に表示することにより、予め設定されている計画と進捗状況との可視的対比を可能にした請求項１の工事進捗状況管理システム。
【請求項３】
前記携帯端末は、対象の工事現場の各段階毎の工事内容を撮影し、それらの現場写真の画像情報を当該の工事を特定する情報と関連付けて前記サーバの工事現場写真格納手段に登録することができるものとした請求項１又は２の工事進捗状況管理システム。
【請求項４】
前記携帯端末から工事の進捗状況情報が前記サーバの工事管理データ格納手段に登録された際に、該サーバから予め設定されている携帯端末に対して特定の工事の進捗状況情報が登録されたことを通知するメールが自動送信されることとした請求項１、２又は３の工事進捗状況管理システム。
【請求項５】
前記クライアント及び携帯端末の各々は、それを管理し又は携帯する者に対して許容される範囲内で、前記サーバの工事管理データ格納手段及び工事現場写真格納手段に登録されている工事進捗状況に関するデータを随時参照可能であるようにした請求項１、２、３又は４の工事進捗状況管理システム。
【発明の詳細な説明】
【技術分野】
【０００１】
本発明は、各種の工事（各種の作業も含む）に於ける進捗状況をそれぞれを実行するごとに登録手段から写真を含むその情報の入力が行われる工事進捗状況管理システムであって、ネットワークに接続されたサーバによって管理される工事進捗状況を含む工事データが携帯端末によって随時参照可能な、特に大規模工事又は大規模作業等に有効な工事進捗状況管理システムに関するものである。
【０００２】
なお、この場合の「大規模」には地理的に広範な範囲に広がる工事を指すことはもとより、工程数が多岐に渉って従事する事業者も入り組んでいるため煩雑であること、更には工期が長期となりかつ煩雑な工程管理が必要になること等をも包含する意味である。
【背景技術】
【０００３】
道路・トンネル・橋梁・鉄道・港湾・ダム等に於ける土木工事、都市計画や社会基盤整備に関する土木建築工事、大型プラントや工業団地、新規宅地造成に伴う住宅建設等の大規模工事等にあっては、予め竣工時期乃至完成時期が定められていて、それぞれの工程ごとに工程表が作成され、これらを総合的に管理するような工程管理乃至進捗状況管理が求められる。
【０００４】
特に大規模工事にあっては、多数の工事業者による共同受注（ＪＶ）や工事グループが担当区域を定めて従事することが多く、同時に進行する各業種との取り合いや、相前後する他工事との間の綿密な調整が必要になる。このような調整が十分に行われないと、個々の工程に遅れを生じ易く、結果的に工事全体の遅延を招き、竣工乃至完成時期にも悪影響を与え、極端な場合には、発注者から損害賠償の請求を受けるような最悪の事態の発生もないとは云えない。
【０００５】
従来の工程管理には、当該工事の統括部門で作成された工事計画表によって全体の工程管理が行われ、それぞれの担当範囲ごとにネットワーク管理表により工事進捗状況が視覚的に把握可能なように書類や表示パネルなどが使用されて来た。しかしこのような文書乃至タイムチャート等のような書類や、現場事務所等に設置された白板その他の掲示手段への記入や訂正などは煩雑である上、全員が共有しなければならない書類等の資料も工事規模に応じて膨大なものとなり、それぞれに対する徹底が困難であることが指摘されている。このような事情を考慮して、コンピュータシステムを利用して工事計画、工程表、進捗状況等の入力・記録・修正・確認等が可能なシステムが提案されている。
【０００６】
特許文献１は、工事担当者が自己の所持する携帯端末装置によりＥメールを利用してウェブページを閲覧し、必要な進捗状況の報告を行う工程進捗状況報告システムを開示している。このウェブページでは、それぞれの工事担当者による報告を受けて最新のデータを記憶装置に更新保存する。その結果、複数の工事担当者からの報告忘れや遅延を回避することができるが、従来電話やＦＡＸ等によって行っていた内容を単にウェブシステムや携帯端末等を使用して報告の遅延や報告忘れを防止するようにしたものに過ぎない。
【０００７】
特許文献２は、多数の作業車両や作業船が従事する大規模工事に於ける広域作業管理システムを開示するもので、各作業車両や作業船にそれぞれ移動体側端末コンピュータを搭載しておき、管理側コンピュータとの間を相互通信可能なパケット通信網によって連係させている。このように移動側コンピュータと管理側コンピュータとの間の連係にパケット通信網を利用する結果、各部の作業が集中するような状況下にあっても、従来型無線電話のような輻輳による通信遅延が回避できるものである。もっともこのシステムは、報告乃至連絡のタイミングを担当者が判断する必要がなく、通信網の制御によって実行するパケット通信網を利用することにより作業管理を行うに過ぎないもので、より高度な判断や制御を行うものではない。
【０００８】
特許文献３は、現場管理事務所内のＬＡＮによって連係された複数のコンピュータを携帯電話網を利用して工事現場に於ける作業員所持の携帯電話と交信可能にしておき、現場管理事務所からの連絡指示を迅速かつ確実に行ない、メッセージ伝達状況の事後的な管理を効率よく行うメッセージ管理システムを開示するものである。
【０００９】
特許文献４は、各現場事務所内に設置されたコンピュータと、本社内に構築されたＬＡＮ系統との間をフレームリレー回線網やＲＡＳ回線網等によって連係する建設工事進捗管理システムを開示している。ここでは、大規模プラントの工事全体を大概念ごとに区分し、各区分を更に何段階かの小さな概念に区分し、最下位層の区分が作業単位を表わした区分となるように階層状に区分して、各作業単位に対して計画した物量、工数、工事期間等の計画を入力し、更に毎日実行した実績による投入物量や工数を入力し、これらを対比させることにより工事進捗状況を把握するものである。このようにして得られた結果を日付を横軸とし、進捗率を縦軸とする進捗推移曲線を作成して可視化するように構成されたシステムである。
【００１０】
【特許文献１】特開２００２‐７３７３９号公報
【特許文献２】特開２００１‐２０２５８９号公報
【特許文献３】特開２００２‐３３５５７４号公報
【特許文献４】特開２００４‐９４５１１号公報
【発明の開示】
【発明が解決しようとする課題】
【００１１】
本発明は、複数の業者がそれぞれの業務分野を分担従事する大規模工事の管理システムに於いて、工事計画から完工に至る各段階の進捗状況がリアルタイムで把握可能であり、工事管理者、発注業者、工事担当者、現場監督及び顧客等の間のコミュニケーションに要する負担を軽減することができる、特に大規模工事等に有効な工事進捗状況管理システムを提供することを解決の課題とする。
【課題を解決するための手段】
【００１２】
本発明の１は、サーバと、該サーバとネットワークを介して接続された複数のクライアント及び携帯端末とを備えた工事進捗状況管理システムであって、
前記サーバは、前記クライアント及び前記携帯端末から入力された工事に関するデータを格納保管する工事管理データ格納手段並びに前記携帯端末から入力された工事現場写真を格納保管する工事現場写真格納手段を備え、
前記クライアントは、工事計画に関する入力情報を前記サーバの工事管理データ格納手段に登録する手段、工事の進捗状況に関する文字情報を前記サーバの工事管理データ格納手段に登録する手段、工事の進捗状況に関する現場写真の画像情報を工事現場写真格納手段に登録する手段、並びに工事の進捗状況に関する文字情報及び現場写真情報をそれぞれ前記サーバの工事管理データ格納手段及び工事現場写真格納手段から読み出して表示する進捗表示手段を備え、
前記携帯端末は、工事の進捗状況情報を前記サーバの工事管理データ格納手段に登録する進捗状況情報登録手段、写真の撮影手段、及び撮影した工事の進捗状況に関する現場写真の画像情報を前記サーバの工事現場写真格納手段に登録する登録手段を備えるものとした工事進捗状況管理システムである。
【００１３】
本発明の２は、本発明の１の工事進捗状況管理システムに於いて、前記クライアントに於ける進捗表示手段が、カレンダー機能と連動して作業計画と実際の進捗状況とを同一画面に表示することにより、予め設定されている計画と進捗状況との可視的対比を可能にしたものである。
【００１４】
本発明の３は、本発明の１又は２の工事進捗状況管理システムに於いて、前記携帯端末は、対象の工事現場の各段階毎の工事内容を撮影し、それらの現場写真の画像情報を当該の工事を特定する情報と関連付けて前記サーバの工事現場写真格納手段に登録することができるものとしたものである。
【００１５】
本発明の４は、本発明の１、２又は３の工事進捗状況管理システムに於いて、前記携帯端末から工事の進捗状況情報が前記サーバの工事管理データ格納手段に登録された際に、該サーバから予め設定されている携帯端末に対して特定の工事の進捗状況情報が登録されたことを通知するメールが自動送信されることとしたものである。
【００１６】
本発明の５は、本発明の１、２、３又は４の工事進捗状況管理システムに於いて、前記クライアント及び携帯端末の各々は、それを管理し又は携帯する者に対して許容される範囲内で、前記サーバの工事管理データ格納手段及び工事現場写真格納手段に登録されている工事進捗状況に関するデータを随時参照可能であるようにしたものである。
【発明の効果】
【００１７】
本発明の１の工事進捗状況管理システムは、サーバ、ネットワークにより該サーバに連係された複数のクライアント及び複数の携帯端末を備えた工事進捗状況管理システムであり、多数の現場に跨り、或いは多数工程からなる大規模工事等に於ける工事進捗状況に関する文字・グラフ・写真等の情報を、所定権限を有するクライアント及び携帯端末からサーバ内の工事管理データ格納手段及び工事現場写真格納手段に随時登録しておくことができるものである。
【００１８】
サーバの工事管理データ格納手段及び工事現場写真格納手段に登録された工事進捗状況に関する情報は、携帯端末やクライアントからそれを保持する者の権限の範囲で随時読み出されて参照され進捗状況が確認できる。このような本発明の工事進捗状況管理システムを利用する情報の参照確認によれば、従来のような有形の配布資料を実際に手にして確認するとか、現場事務所や本社に掲示された白板や黒板或いはチャート等を確認し、更には電話やＦＡＸを利用するような煩雑さが解消され、迅速かつ随時に精確な工事進捗状況情報の参照確認が可能となる。
【００１９】
現実の工事等は、気象条件、作業用機材や資材の充足状況、注文主の変更要求、各種工程間の作業タイミングの調整、作業員の手配等のような諸々の事情を受けて、作業工程は変更されることが多い。このようなケースでは、旧版配布資料の回収乃至廃棄が徹底しないことに起因する新旧版混在や、掲示工程表等にあっては訂正時期の確認が遅れるなどの過誤乃至不可抗力の理由により訂正前のデータを正しいものと勘違いするような事態が生じがちであった。
【００２０】
しかし本発明の１の工事進捗状況管理システムによれば、工事進捗状況に関する最新の文字・グラフック・写真等の情報が、定時に又は随時に参照確認可能であり、新旧版資料・データ類の混在や確認遅れによる過誤作業の防止乃至修正作業の漏れ等が回避できる。
【００２１】
また携帯端末は使用場所の制限は極めて少なく、進捗状況の登録を工事現場から直接に行えるため、前記のように、サーバの工事管理データ格納手段及び工事現場写真格納手段に登録した進捗状況情報を常時容易に最新状態に維持することが可能になる。
【００２２】
更に本発明の１の工事進捗状況管理システムによれば、サーバに格納保存された工事進捗状況がネットワークを介して伝送されて遠隔地に於いても可視情報としてリアルタイムで把握可能であるばかりでなく、更に印刷された媒体を介して確認可能であることから、所要資材の発注・督促、現工程から次工程へ移行する際に必要になる人員手配、関連企業に対する連絡・指示等の工事管理を適切に実施するための資料が随時確認可能であり、最適の工事進捗に資することが期待できる。
【００２３】
本発明の２の工事進捗状況管理システムによれば、前記クライアントに於ける進捗表示手段が、カレンダー機能と連動して作業計画と実際の進捗状況とを同一画面に表示することとしたため、予め設定されている計画と進捗状況との可視的対比が可能であり、正確に状況を判断することができることになる。
【００２４】
本発明の３の工事進捗状況管理システムによれば、各工事現場に於ける各段階毎の工事内容が現場の携帯端末で撮影され、当該の工事と関連づけてサーバに登録されることになるため、クライアント及び携帯端末を保持する関係者は必要に応じてこれを参照し、各工事現場の進捗状況を正確に把握することができる。
【００２５】
本発明の４の工事進捗状況管理システムによれば、前記携帯端末から工事進捗状況に関する情報が前記サーバに登録されると、予め設定されている携帯端末を保有する関係者はその旨のメールによって、その進捗状況を直ちに認識し、常に現状をリアルタイムで正確に認識することができる。工事管理者のためにこれを設定しておくと、該工事管理者は、クライアントであるパソコン等の設置してある事務所を離れている場合でも、関係の工事の進捗状況をリアルタイムで把握できることになり、好都合である。
【００２６】
本発明の５の工事進捗状況管理システムによれば、前記クライアント及び携帯端末のいずれからでも、前記サーバの工事管理データ格納手段及び工事現場写真格納手段に登録されている工事進捗状況に関するデータを随時参照可能であるため、関係者は何時でも自己の権限の範囲内で関係する工事の進捗状況を参照確認することができる。又それぞれ権限の範囲内で参照可能になっているため、無用に関係者外に情報が漏洩する虞もない。
【発明を実施するための最良の形態】
【００２７】
以下、添付図を参照しつつ本発明の好適な実施例に基づいて発明を実施する最良の形態を開示する。
【００２８】
図１は、実施例の工事進捗状況管理システムの基本構成を示すブロック図で、サーバ１、インターネット（専用ネットワーク等を含む各種ネットワークの何れでもあり得るが、この実施例ではインターネット）２、複数のクライアント３（３−１、３−２、３−３…）、複数の携帯端末４（４−１、４−２、４−３…）から構成される。
【００２９】
サーバ１は、この実施例の工事進捗状況管理システム全体を管理する中心的機能を発揮するもので、システム管理者により管理運用される。サーバ１を構成する構成要素としては、プログラム制御によって所望の処理を行うプロセッサ（ＣＰＵ）を含む制御部Ｃと、インターネット２との間で所要データの授受を行うインターフェース部ＩＦと、所要容量並びに構成による記憶部Ｍを備えている。記憶部Ｍは、詳細には記憶部Ｍ１１、１２、１３、２２から構成され、ハードウエア的には、システム構成や規模に応じて必要となる容量の主記憶装置を始め、一時記憶装置、リムーバブルディスクその他の補助記憶装置類を包含している。これらの構成要素を有機的に作用させることにより、機能的には、必要な工事管理データを蓄積しておく工事管理データ格納手段（記憶部Ｍ１２、１３）、工事現場写真格納手段（記憶部Ｍ２２）及びメール作成及び送信手段を構成する。
【００３０】
複数のクライアント３（３−１、３−２、３−３…）は、この実施例では一般的なパーソナルコンピュータ（以下パソコン）であり、中央処理装置（ＣＰＵ）、記憶部Ｍ、インターフェースＩＦ等を備えている。
【００３１】
また図示していないが、これらのクライアント３であるパソコンの周辺機器としては、入力手段として、キーボード、マウス、スキャナ及びタッチパネル等の全部又は一部が利用され、出力手段として、画面表示のためのディスプレイ（モニタ画面）、ハードコピー形成用のプリンタ又はＸ−Ｙプロッタ等の全部又は一部が利用され、更にデータ授受手段として、自装置内のメール作成手段により作成されたメールを送信し、または外部より伝送されたメールを受信するメール作成及び送受信手段を備えている。
【００３２】
これらの構成要素を、有機的に作用させることにより、工事管理データの登録手段、工事進捗状況を示す情報の登録手段及びその工事現場写真の登録手段、工事進捗状況を示す文字情報乃至グラフィック情報等の表示手段、工事現場写真の表示手段、その他の各データ類のプリントアウト手段、工事管理者、工事担当者及び顧客間のメールの作成手段乃至伝送手段を構成している。
【００３３】
図１に示した複数の携帯端末４（４−１、４−２、４−３…）は、携帯至便に構成されたモバイルコンピュータが利用可能である他、携帯電話等を利用することができる。この実施例では、プログラム制御により作動する処理装置（ＣＰＵ）、記憶装置、写真撮影装置ＣＡ、各種インターフェースＩＦ、インターネット２に対する無線送受伝送装置等を備えた携帯電話を採用した。
【００３４】
以上のような構成要素を活用することにより、該携帯端末４は、工事進捗状況の登録手段、工事現場写真撮影手段、現場写真の画像情報の登録乃至伝送手段、メール作成手段及びメール送受信手段等を構成している。
【００３５】
図１に示した実施例の基本構成のサーバ１、クライアント３及び携帯端末４に於いて、各構成要素の組合わせによって得られる各構成手段は、図２に示すようなものである。
【００３６】
以上のような基本構成に於ける各構成要素の機能は以下のように構成する。
【００３７】
サーバ１に格納される工事管理データは、複数のクライアント３（３−１、３−２、３−３…）から登録される各々別個の工事に関する工事計画登録データ、各クライアント３（３−１、３−２、３−３…）及び各携帯端末４（４−１、４−２、４−３…）から登録される各工事毎の工事進捗状況情報等が含まれる。
【００３８】
工事進捗状況情報は、この実施例では、文字情報及び写真情報を包含するものであり、サーバ１に予め格納されているプログラムに従って、その内容に応じて分類、作表又は日程表（カレンダー）との合成による時系列化、或いはグラフィック化等の所要処理を経た情報である。
【００３９】
以上の工事計画データの登録を行うクライアント３は、各種工事毎の工事管理者の所要部署に設置し、この実施例では、該工事管理者が自己の管理する工事関連情報の登録を行うものとする。工事管理者の管理するクライアント３は、当然、その管理する工事の工事進捗情報の参照を行うこともできる。更に又顧客はその保有するパソコンをクライアント３として用い、これで、関係の工事に関してのみその進捗状況情報の参照を行うことができる。
【００４０】
工事現場で作業を行う工事担当者及び現場監督は、その管理するクライアント３から工事の進捗状況情報の登録を行うことができる。この進捗状況情報には現場写真情報も含み、この場合は、デジタルカメラの画像情報、或いは銀塩フィルムを用いたカメラの画像をスキャナ又はフィルムスキャナ等で読み込んだ画像情報を取り込んで、これを登録することができるものである。
【００４１】
また工事現場で作業を行う工事担当者及び現場監督は、携帯端末４（４−１、４−２、４−３…）を携帯し、これによって工事進捗状況に関する工事内容情報の登録、工事現場写真の撮影及びその撮影による画像情報の登録を行うことができる。また工事管理者も携帯端末４（４−１、４−２、４−３…）を携帯し、工事の進捗状況のサーバ１への登録があった際に、その旨のメールをこれで受信できるようになっている。
【００４２】
これらの携帯端末４（４−１、４−２、４−３…）としては、この実施例では、先に述べたように、携帯電話を採用したものであるから、それ自体が本来有する機能はそのまま使用できるものであることは云うまでもない。
【００４３】
なお、それぞれのクライアント３（３−１、３−２、３−３…）、携帯端末４（４−１、４−２、４−３…）等に於ける入力データ形態、入力文字数、直接入力か選択入力か、などに関してはシステムを構成するハードウェア及びソフトウェア手段に応じて適宜変更することができ、固定されたものではない。
【００４４】
この実施例の工事進捗状況管理システムの基本的操作は以下のように行われ得るようにする。
【００４５】
まず、管理部門に於いて工事計画が作成されると、この工事計画に基づいて工事計画登録情報の登録手段を備えたクライアント３から、工事番号、工事件名、予算額、工事開始日、工事期間、工事内容、各工事区間・工事分担ごとの担当企業（業者）等の工事計画情報がサーバ１の工事管理データ格納手段（記憶部Ｍ１２、１３）に登録される。このような工事計画情報には、表組み、タイムチャート、グラフ、写真等を交えて構成することができる。
【００４６】
各工事の各現場からの進捗状況情報は、それぞれの工事工程の現場管理者（工事担当者）の管理下にある携帯端末４（４−１、４−２、４−３…）からサーバ１に伝送され、その工事管理データ格納手段（記憶部Ｍ１３）に登録される。また該携帯端末４（４−１、４−２、４−３…）で撮影した工事工程の工事内容の写真は、該携帯端末４（４−１、４−２、４−３…）からの要求でサーバ１で作成されて送信されたメールにその画像情報を添付して返送することで送信し、該サーバ１の工事現場写真格納手段（記憶部Ｍ２２）に登録される。
【００４７】
進捗状況情報は、それぞれの現場管理者（工事担当者）が都合によりその管理するクライアント３であるパソコンから登録することも可能で、この場合は、そのクライアント３からサーバ１に伝送され、その工事管理データ格納手段（記憶部Ｍ１３）に登録される。またデジタルカメラ等で撮影した工事工程の工事内容の写真情報は、該クライアント３からサーバ１に送信し、該サーバ１の工事現場写真格納手段（記憶部Ｍ２２）に登録することもできる。
【００４８】
このような進捗状況情報の登録がサーバ１の工事管理データ格納手段（記憶部Ｍ１３）に行われると、その旨のメールがサーバ１で作成され、関係の携帯端末４に送信される。なお、この実施例では、この送信は、それを受けたい旨の登録をした携帯端末４（４−１、４−２、４−３…）に対してのみ行われる。通常、当該の工事の工事管理者の携帯端末４−１についてその旨登録する。
【００４９】
工事の進捗状況情報は、この実施例では、クライアント３（３−１、３−２、３−３…）に於いて、当初設定されている工事計画登録情報と工事進捗実績との比較表示がされる。これは工事計画に基づく工事内容を登録された該工事計画に沿って時系列的に配列し、かつ進捗状況もそれに対比できる状態に配列して表示することにより行うものである。そのような情報の加工は、この実施例では、サーバ１で行うものとした。
【００５０】
なお、これに加えて、当日以降の工事進捗予想、関連する資材並びに人員配置の検討乃至重点投入等に関する間接的又は直接的な対策に関する資料、例えば、グラフ、図表、写真等を交えた資料の作成並びにアクセスしてくる端末に対して公開・伝送等が行えるように形成することもできる。
【００５１】
なおまた、このように処理された各種情報は、工事番号、工事件名、発注者名、建設現場所在地等をキーとしてそれぞれのクライアント３や携帯端末４からインターネット２を介してアクセスすることにより検索可能であり、モニタ画面による可視データ、プリントアウトされたハードコピー、電子媒体を利用する電子データのような適宜形態のデータとして出力可能である。
【００５２】
以下この実施例の工事進捗状況管理システムを動作に基づいてより詳細に説明する。
図３は、工事工程表を、クライアント３の一つとして使用されるパソコンから登録する際の動作手順を示すフロー図で、情報のやり取り対象のサーバ１の記憶部Ｍ１１、Ｍ１２、Ｍ１３、Ｍ１４と対応させて表示している。なおこの登録は、工事管理者が管理するパソコン（クライアント３）から行うべきものであり、工事管理者はこのシステムに会員登録することにより、予めＩＤ及びパスワードが設定されている。なおまたこのような工事管理者は、現場監督及び自社部署の工事担当者を兼任することも可能である。
【００５３】
クライアント３がこのシステムの所定のＵＲＬにアクセスすると、ログイン画面が表示され、ＩＤ及びパスワードの入力が要求される。これらを順次入力すると、サーバ１では、記憶部Ｍ１１から取り込まれたログイン情報に基づき、クライアント３から入力された上記ＩＤ及びパスワードと登録情報との比較が行われ、その認証が行われる（ステップＳ１１）。
【００５４】
ＩＤ及びパスワードの認証が行われると、初期画面が表示され、「マスタ登録」、「工事登録」、「管理機能」及び「顧客登録」のメニューが表示される。このシステムは、当然ながら予め「マスタ登録」をしておかなければ、利用できないので、その登録から始める。
【００５５】
クライアント３は、その初期画面のメニュー表示から「マスタ（ヘッダ部）登録」を選択し、その各々の登録事項の登録を行う（ステップＳ１２）。
【００５６】
マスタ登録の内容は、この実施例では、「工事種類（進捗管理対象である工事の任意の名称、例えば、基礎工事、外装工事等）」、「工事担当部署（自社）」、その「工事担当者」、「工事担当業者」、その「工事担当者」である。「マスタ登録」を、前記初期画面のメニュー表示の該当するボタンをクリックすることで選択すると、その登録画面が表示され、その中から上記登録項目の選択用のボタンが表示される。各々登録項目のボタンをクリックすると、その入力画面が表示され、それに従ってそれに示された入力項目を入力することになる。入力内容を確認の上、登録ボタンをクリックすると、それらの情報はサーバ１の記憶部Ｍ１２に格納保存されることになる。
【００５７】
なお以上の登録項目の内、「工事担当部署（自社）」の「工事担当者」及び「工事担当業者」の「工事担当者」については、以上に於いて、その携帯する携帯端末４である携帯電話の「電話番号」、「メールアドレス」及び「パスワード」が登録項目として表示されるようになっており、これを登録しておくものとする。「工事担当部署（自社）」の「工事担当者」及び「工事担当業者」の「工事担当者」の各々管理するクライアント３についてもＩＤ及びパスワードを登録しておくものとする。
【００５８】
以上のマスタ登録に引き続いて、クライアント３は、初期画面のメニュー表示から工事登録中のサブメニューである「工事」及び「工程」を順次選択し、「工事」に関する登録事項及びその工事の「工程」に関する登録事項の登録を行う（ステップＳ１３）。
【００５９】
上記工事に関する登録の内容は、この実施例では、工事番号、工事件名、現場監督、工事期間、工程表示開始日及び備考であり、これらの登録項目は、前記工事登録中のサブメニュー「工事」を選択すると、その登録画面が表示され、その中に表示されることになる。その中の各登録項目のボタンをクリックすると、各々その入力画面が表示され、それに従って各登録項目の内容を入力することができる。各々入力画面の表示に従って必要な情報を入力し、確認の上、登録ボタンをクリックすると、それらの情報はサーバ１の記憶部Ｍ１３に格納保存されることになる。
【００６０】
なお以上の登録項目の内、現場監督については、以上の入力画面に於いて、その携帯する携帯端末４である携帯電話の「電話番号」、「メールアドレス」及び「パスワード」が入力項目として表示されるようになっており、これを入力しておくものとする。
【００６１】
次いで、前記工事登録中のサブメニュー「工程」を選択すると、その登録画面が表示され、表示に従って工程の登録を行う。この実施例では、登録項目は、当該の工程の工事の内容、その開始予定日、終了予定日、工事担当業者であり、上記のように、入力画面の表示に従って必要な情報を入力し、確認の上、登録ボタンをクリックすると、それらの情報はサーバ１の記憶部Ｍ１３に格納保存されることになる。これを繰り返して、全工程の登録を完了させる。
【００６２】
また以上のマスタ登録及び工事登録に引き続いて、クライアント３は、顧客登録をしておくべきである。初期画面のメニュー表示から「顧客登録」を選択し、当該の顧客関係の工事を検索し、対応する工事と関連づけて、その顧客に関する登録事項の登録を行う（ステップＳ１４）。
【００６３】
初期画面のメニュー表示から、上記のように、「顧客登録」を選択すると、工事件名検索画面が表示される。この工事件名検索画面では、登録しようとする顧客関連の工事、即ち、該顧客の注文による工事を検索するものであり、検索のための入力項目として、この実施例では、工事番号、工事件名、工事開始予定日、工事終了予定日、現場監督名、工事担当者（自社又は業者）及び進捗状況が表示され、それぞれに入力エリアが近接して表示される。なお前記進捗状況のみは、他の項目で入力エリアが表示される部位に「すべて、未着手、着手、完了」の選択項目が表示され、いずれかを選択するようになっている。これらの各入力項目の全部又は一部の入力をして検索ボタンをクリックすると、複数入力の場合はそれらの入力項目をＡＮＤ条件として検索が実行される。
【００６４】
前記検索が完了すると、ヒットした工事件名のリストが表示される。この実施例では、このリストに、工事件名の外に、工事の開始予定日及び終了予定日、着手日及び完了日、現場監督名、進捗状況の表示項目が表示され、更に末尾に「顧客登録・修正」並びに「メール」のボタンが付設されている。該リストの該当する工事件名末尾の顧客登録・修正ボタンをクリックして該当する工事を選択すると、顧客情報登録・修正画面が表示される。
【００６５】
この実施例では、上記顧客情報登録・修正画面中に、入力項目として、顧客名、顧客名（仮名）、ユーザーＩＤ、パスワード、メールアドレス、電話番号、郵便番号、住所が表示され、各々に近接してそれらを入力するための入力エリアが付設表示される。これらの入力項目の全てに必要情報を入力して、確認の上、登録ボタンをクリックすると、それらの情報は、該当する工事件名と関連づけてサーバ１の記憶部Ｍ１４に格納保存されることになる。
【００６６】
同様の手順を経て上記顧客情報登録・修正画面にアクセスすれば、登録事項中の誤りが訂正できることは云うまでもない。また前記検索によって得た各工事件名リストの末尾の「メール」のボタンは、以上のようにして顧客入力が完了した後、これをクリックすると、当該の顧客の携帯端末４及びクライアント３に、当該の工事の進捗状況情報にアクセスするための情報がサーバ１から自動的にメールで送信されることになる。このメールは、このボタンをクリックすると、サーバ１が自動的に作成して送信するようになっている。
【００６７】
図４は、携帯端末（カメラ付き携帯電話）４からの進捗状況情報の登録及び現場写真情報の送信を行う際の手順を示すフロー図で、図３と同様に、情報のやり取り対象のサーバ１の記憶部Ｍ１１、Ｍ１２、Ｍ１３、Ｍ２２と対応させて表示している。
【００６８】
なおこの進捗状況の入力は、この実施例では、工事現場に所在する担当の現場監督、工事担当者（自社部署）、工事担当者（業者）又はこれらを兼ねる工事管理者がその携帯する携帯端末４又はクライイアント３から行う。前記工事担当者（自社部署及び業者）は、前記マスタ登録の際にその携帯する携帯端末４と共に登録された者であり、前記現場監督は、前記工事登録の際にその携帯する携帯端末４と共に登録された者である。クライアント３についてもＩＤ及びパスワードの登録が同時に行われた者である。
【００６９】
ここでは、先に述べたように、携帯端末４による登録に関して説明する。まず前記関係者が携帯端末４によりこのシステムの所定のアドレスにアクセスすると、携帯端末用のログイン画面が表示され、ＩＤ及びパスワードの入力が要求される。これらを順次入力すると、サーバ１では、記憶部Ｍ１１から取り込まれたログイン情報に基づき、携帯端末４から入力された上記ＩＤ及びパスワードと登録情報との比較が行われ、その認証が行われる（ステップＳ２１）。
【００７０】
ＩＤ及びパスワードの認証が行われると、携帯端末用の初期画面が表示され、アクセスした者が現場監督の場合（ＩＤ及びパスワードによって識別される）は、進捗表示、進捗報告及び実算報告のメニューが表示される。工事担当者の場合は、進捗表示及び進捗報告のみのメニューが表示される。
【００７１】
携帯端末４が、その初期画面のメニュー表示から「進捗報告」を選択し、「次へ」の表示をクリックすると、工事選択画面が表示され、記憶部Ｍ１２から当該の現場監督又は工事担当者の担当する工事件名リストが読み込まれて、該携帯端末４のモニタ画面に表示される。その工事選択画面の表示に従って進捗報告の対象である工事件名を選択し、「次へ」の表示をクリックすると（ステップＳ２２）、工事工程選択画面が表示され、記憶部Ｍ１３から、選択された工事件名の全工事工程（全工事内容）のリストが読み込まれて同モニタ画面に表示される。その工事工程選択画面の表示に従って進捗報告の対象である工事工程（工事内容）を選択し、「次へ」の表示をクリックすると（ステップＳ２３）、進捗報告画面が表示される。
【００７２】
進捗報告画面では、進捗状況に関して、それぞれチェック欄付きの「着手」及び「完了」と、写真の「あり」及び「なし」と、問題点の「あり」及び「なし」とが表示され、それぞれいずれかのチェック欄をチェックした上で、「次へ」の表示をクリックすることで当該の工事の当該の工程について進捗状況の報告を行うことができる。現場監督又は工事担当者は、工事現場の状況に適合するそれを選んで、以上の操作をすると、当該の工事の当該の工程についての進捗状況情報が送信され、サーバ１の記憶部Ｍ１３に追記乃至更新的に格納保存される（ステップＳ２４）。
【００７３】
前記進捗状況情報がサーバ１に送信されると、サーバ１では、その情報中の写真の「あり」及び「なし」の内、いずれにチェックが付されていたかが判断され（ステップＳ２５）、「あり」にチェックが付されていた場合は、該サーバ１で写真添付用のメールが作成され、当該の携帯端末４に、これが送信される。現場監督又は工事担当者は、携帯端末４であるカメラ付き携帯電話で撮影した工事現場の写真の画像情報を該メールに添付して返信することによりその登録を行う。サーバ１では、このメールを受信すると、該メールに添付されていた写真画像情報を前記所定の工事件名の所定の工程（工事内容）と関連づけて記憶部Ｍ２２に格納保存する。当該の工事件名の所定の工程（工事内容）の登録されている記憶部Ｍ１３にも写真が登録されている旨の登録をする。
【００７４】
前記進捗状況情報がサーバ１に送信された際に、該サーバ１で、その情報中の写真の「あり」及び「なし」の内、「なし」にチェックが付されていたと判断され（ステップＳ２５）た場合は、そのままそのプロセスは終了する。
【００７５】
なお、図４のフロー図には示されていないが、携帯端末４から進捗状況の報告が行われ、サーバ１がこれを受け取ると、設定がそのようになっていた場合は、該サーバ１は該携帯端末４からの報告に基づいて進捗報告のメールを作成し、当該の工事関連の工事管理者の携帯端末４に該進捗報告のメールを送信する。これによって工事管理者は、事務所にいない場合でも、リアルタイムで特定の工事の特定の工程の進捗状況を知ることができる。
【００７６】
なお、以上のメールによる工事管理者に対する進捗報告の設定は、この実施例では、クライアント３がアクセスする初期画面のメニュー表示から「工事登録」中の「工程」に関する登録を選択すると、各工程毎に、工事管理者にメールで進捗報告をするか否かのチェック欄が構成してあり、これにチェックをすることで、報告する旨の設定をすることができるようになっている。
【００７７】
図５は、クライアント３からの進捗状況情報の登録及び現場写真情報の送信を行う際の手順を示すフロー図で、情報のやり取り対象のサーバ１の記憶部Ｍ１１、Ｍ１２、Ｍ１３、Ｍ２２と対応させて表示している。
【００７８】
これは、工事現場に所在する担当の現場監督、工事担当者（自社部署）、工事担当者（業者）又はこれらを兼ねる工事管理者がその管理するクライイアント３から行う場合について説明するものである。
【００７９】
まず前記関係者がクライアント３によりこのシステムの所定のＵＲＬにアクセスすると、ログイン画面が表示され、ＩＤ及びパスワードの入力が要求される。これらを順次入力すると、サーバ１では、記憶部Ｍ１１から取り込まれたログイン情報に基づき、クライアント３から入力された上記ＩＤ及びパスワードと登録情報との比較が行われ、その認証が行われる（ステップＳ２７）。
【００８０】
ＩＤ及びパスワードの認証が行われると、初期画面が表示され、アクセスした者が現場監督の場合（ＩＤ及びパスワードによって識別される）は、進捗表示、進捗報告及び実算報告のメニューが表示される。工事担当者の場合は、進捗表示及び進捗報告のみのメニューが表示される。
【００８１】
クライアント３が、その初期画面のメニュー表示から「進捗報告」を選択し、これをクリックすると、工事選択画面が表示され、検索のための入力項目として、この実施例では、工事番号、工事件名、工事開始予定日、工事終了予定日、現場監督名及び工事担当者（自社又は業者）が表示され、それぞれに入力エリアが近接して表示される。これらの各入力項目の全部又は一部の入力をして検索ボタンをクリックすると、複数入力の場合はそれらの入力項目をＡＮＤ条件として検索が実行される（ステップＳ２８）。
【００８２】
前記検索が完了すると、工事工程選択画面が表示され、記憶部Ｍ１３から、選択された工事件名の全工事工程（全工事内容）のリストが読み込まれてモニタ画面に表示される。その工事工程選択画面の表示に従って進捗報告の対象である工事工程（工事内容）を選択し、これをクリックすると（ステップＳ２９）、進捗報告画面が表示される。
【００８３】
進捗報告画面では、進捗状況に関して、それぞれ「着手日」及び「完了日」の入力欄と、写真の「あり」及び「なし」のチェック欄と、問題点の「あり」及び「なし」のチェック欄とが表示され、「着手日」及び「完了日」の入力欄には、該当する日付を入力し、問題点の「あり」及び「なし」のチェック欄は、「あり」にチェックすると、その入力欄が表示されるので、該当する内容を入力する。問題点の「なし」にチェックした場合は、当然、入力欄は表示されない。こうして工事進捗状況情報の登録を行うことができる（ステップＳ３０）。
【００８４】
前記写真の「あり」及び「なし」のチェック欄の内の前者の欄にチェックすると、写真のありと判断され（ステップＳ３１）、画像登録画面が表示される。案内に従って登録する画像ファイルを指定して画面中の画像登録ボタンをクリックすると、該画像ファイルがサーバ１にアップロードされ、記憶部Ｍ２２に登録される（ステップＳ３２）。
【００８５】
更にクライアント３から写真情報のみの登録を行う場合は、以上に述べた、それ以外の情報と共に登録する場合と同様に、ログインし、対象の工事を検索選択し、更にそのリストから特定の工事工程を選択し、これについての進捗報告画面を表示させ、更に該画面中の写真「あり」のチェック欄をチェックして、画像登録画面を表示させて登録することができる。即ち、この後、案内に従って登録する画像ファイルを指定して画面中の画像登録ボタンをクリックし、該画像ファイルをサーバ１にアップロードする。該画像ファイルはサーバ１の記憶部Ｍ２２に登録されることになる。
【００８６】
図６は、携帯端末４から工事進捗情報の参照を行う場合のフロー図で、情報のやり取り対象のサーバ１の記憶部Ｍ１１、Ｍ１２、Ｍ１３、Ｍ２２と対応させて表示している。
【００８７】
現場監督又は工事担当者が携帯端末４でこのシステムの所定のアドレスにアクセスすると、前記したように、携帯端末用のログイン画面が表示され、ＩＤ及びパスワードの入力が要求され、所定のプロセスを経てその認証が行われる（ステップＳ４１）。
【００８８】
ＩＤ及びパスワードの認証が行われると、携帯端末用の初期画面が表示され、前記したように、アクセスした者が現場監督である場合は、進捗表示、進捗報告及び実算報告のメニューが表示され、工事担当者の場合は、進捗表示及び進捗報告のみのメニューが表示される。
【００８９】
携帯端末４が、その初期画面のメニュー表示から「進捗表示」を選択し、「次へ」の表示をクリックすると、工事選択画面が表示され、記憶部Ｍ１２から当該の現場監督又は工事担当者の担当する工事件名リストが読み込まれて表示される（ステップＳ４２）。その工事選択画面の表示に従って表示希望の工事件名を選択し、「次へ」の表示をクリックすると、工事工程選択画面が表示され、記憶部Ｍ１３から、選択された工事件名の全工事工程（全工事内容）のリストが読み込まれて表示される（ステップＳ４３）。全体の表示が画面中に納まらない場合はスクロールして全リストを見ることができるのは云うまでもない。その工事工程選択画面の表示に従って進捗表示の対象である工事工程（工事内容）を選択し、「次へ」の表示をクリックすると、進捗表示画面が表示される（ステップＳ４４）。
【００９０】
進捗表示画面では、この実施例では、工事種類、工事担当部署（自社）又は工事担当業者、開始予定日、終了予定日、着手日、完了日、現場監督及び写真の有無の欄が表示される。全ての表示内容が画面中の納まらない場合はスクロールすれば見ることができるのは云うまでもない。
【００９１】
現場写真がある場合は、写真ありの表示がされており、表示されている「写真を見る」を選択して、「次へ」の表示をクリックすると、進捗状況を示す当該の現場の写真がサーバ１の記憶部Ｍ２２から読み出されて送信され、該携帯端末４のモニタ画面に表示されることになる（ステップＳ４５）。
【００９２】
図７は、クライアント３から工事進捗情報の参照を行う場合のフロー図で、情報のやり取り対象のサーバ１の記憶部Ｍ１１、Ｍ１２、Ｍ１３、Ｍ２２と対応させて表示している。
【００９３】
クライアント３がこのシステムの所定のＵＲＬにアクセスすると、前記したように、ログイン画面が表示され、ＩＤ及びパスワードの入力が要求される。これらを順次入力すると、サーバ１では、記憶部Ｍ１１から取り込まれたログイン情報に基づき、クライアント３から入力された上記ＩＤ及びパスワードと登録情報との比較が行われ、その認証が行われる（ステップＳ５１）。
【００９４】
ＩＤ及びパスワードの認証が行われ、これが工事管理者のものであることが確認されると、前記した初期画面が表示され、前記したように、「マスタ登録」、「工事登録」、「管理機能」及び「顧客登録」のメニューが表示される。ＩＤ及びパスワードが顧客のものであることが確認されると、当該の顧客の工事件名に関する工事選択画面が表示されることになる。
【００９５】
まず工事管理者である場合について説明する。この場合は、クライアント３が、その初期画面の工事登録中のサブメニュー、「工事」と「工程」とから「工程」を選択し、更に「工程」中の「進捗表示」を選択し、これをクリックすると、工事選択画面が表示され、検索のための入力項目として、この実施例では、工事番号、工事件名、工事開始予定日、工事終了予定日、現場監督名及び工事担当者（自社又は業者）が表示され、それぞれに入力エリアが近接して表示される。これらの各入力項目の全部又は一部の入力をして検索ボタンをクリックすると、複数入力の場合はそれらの入力項目をＡＮＤ条件として検索が実行される（ステップＳ５２）。
【００９６】
前記検索が完了すると、ヒットした工事件名のリストが表示される。この実施例では、このリストに、工事件名の外に、工事の開始予定日及び終了予定日、着手日及び完了日、現場監督名、進捗状況の表示項目が表示され、更に末尾に「進捗表示」ボタンが付設表示される。該リストの該当する工事件名末尾の「進捗表示」ボタンをクリックして該当する工事を選択すると、サーバ１の記憶部１３から当該の工事件名に関する進捗状況情報が読み出されて送信され、該クライアント３のモニタ画面で当該の工事件名に関する進捗表示画面が表示されることになる（ステップＳ５３）。
【００９７】
この進捗表示画面は、この実施例では、図８に示すように、工事番号及び工事件名で工事を特定し、工事内容（工程）を縦に、施工時期を横に配列して、施工予定期間を各々示すと共に、色分けをして進捗状況を示している。黒（斜めクロス状のハッチング）は工事完了、赤（右上がりのハッチング）は工事着手、青（左上がりのハッチング）は工事未着手を表示する。また記号で実績を示しており、「Ｓ」は着手日を、「Ｅ」は完了日を、それぞれ示しており、「→」はその間の施工日を示している。
【００９８】
各工事内容（工程）の表示欄の左端には「詳細」ボタンが表示されており、これを選択してクリックすると、サーバ１の記憶部１３から詳細情報が読み出され、これが工事工程詳細表示画面として表示され、当該の工事工程の問題点の有無、写真の有無、及び備考が表示される（ステップＳ５４）。写真がある旨の表示がある場合は、表示されている「画像表示」ボタンをクリックすると、当該の現場の当該の工程の進捗状況を示す写真がサーバ１の記憶部Ｍ２２から読み出されて送信され、該クライアント３のモニタ画面に表示されることになる（ステップＳ５５）。
【００９９】
図９は、前記ログイン画面で入力したＩＤ及びパスワードにより、当該のＩＤ及びパスワードが顧客のものであることが確認された場合のフロー図で、情報のやり取り対象のサーバ１の記憶部Ｍ１１、Ｍ１２、Ｍ１３、Ｍ２２と対応させて表示している。
【０１００】
この場合は、当該の顧客の工事件名に関する工事選択画面が直ちに表示されることになり、工事件名のリストが表示される。そのリストから該当する工事件名末尾の「進捗表示」ボタンをクリックして該当する工事を選択すると（ステップＳ５６）、サーバ１の記憶部１３から当該の工事件名に関する進捗状況情報が読み出されて送信され、該クライアント３のモニタ画面で当該の工事件名に関する進捗表示画面が表示されることになる（ステップＳ５７）。
【０１０１】
この進捗表示画面は、この実施例では、前記し、図８に示すように、工事番号及び工事件名で工事を特定し、工事内容（工程）を縦に、施工時期を横に配列して、施工予定期間を各々示すと共に、色分けをして進捗状況を示している。黒（斜めクロス状のハッチング）は工事完了、赤（右上がりのハッチング）は工事着手、青（左上がりのハッチング）は工事未着手を表示する。また記号で実績を示しており、「Ｓ」は着手日を、「Ｅ」は完了日を、それぞれ示しており、「→」はその間の施工日を示している。なお各工事内容（工程）の末尾（施工時期の末尾、図示していない）にはメールと記されたボタンが表示される。
【０１０２】
各工事内容（工程）の表示欄の左端には「詳細」ボタンが表示されており、これを選択してクリックすると、サーバ１の記憶部１３から詳細情報が読み出され、これが工事工程詳細表示画面として表示され、この場合は、写真の有無及び備考が表示される（ステップＳ５８）。写真がある旨の表示がある場合は、表示されている「画像表示」ボタンをクリックすると、当該の現場の当該の工程の進捗状況を示す写真がサーバ１の記憶部Ｍ２２から読み出されて送信され、該クライアント３のモニタ画面に表示されることになる（ステップＳ５９）。
【０１０３】
なお前記メールのボタンをクリックすると、工事担当部署又は工事担当業者に送信するためのメールの作成画面が表示され、これにメッセージを入力して送信操作をすると、これを工事担当部署又は工事担当業者に送信することができる。
【０１０４】
図１０は、携帯端末４からの実算報告を行う際の手順を示すフロー図で、情報のやり取り対象のサーバ１の記憶部Ｍ１１、Ｍ１２、Ｍ１３と対応させて表示している。
【０１０５】
なおこの実算報告は、この実施例では、工事現場に所在する担当の現場監督のみがその携帯する携帯端末４から行うようになっている。
【０１０６】
現場監督が携帯端末４で、このシステムの所定のアドレスにアクセスすると、前記したように、携帯端末用のログイン画面が表示され、所定の手順を経て携帯端末４から入力されたＩＤ及びパスワードと登録情報との比較が行われ、その認証が行われる（ステップＳ６１）。
【０１０７】
ＩＤ及びパスワードの認証が行われると、携帯端末用の初期画面が表示され、この場合は、アクセスした者が現場監督であるから、「進捗表示」、「進捗報告」及び「実算報告」のメニューが表示される。携帯端末４が、その初期画面のメニュー表示から「実算報告」を選択し、「次へ」の表示をクリックすると、実算報告画面が表示され、記憶部Ｍ１２から当該の現場監督の担当する工事件名リストが読み込まれて表示される。その工事選択画面の表示に従って実算報告の対象である工事件名を選択し、「次へ」の表示をクリックすると（ステップＳ６２）、工事工程選択画面が表示され、記憶部Ｍ１３から、選択された工事件名の全工事工程（全工事内容）のリストが読み込まれて表示される。その工事工程選択画面の表示に従って実算報告の対象である工事工程（工事内容）を選択し、「次へ」の表示をクリックすると（ステップＳ６３）、実算報告画面が表示される（ステップＳ６４）。
【０１０８】
実算報告画面では、当該の工事件名の工事内容（工程）に関して、「年月日」の入力欄と「作業人数」の入力欄と、「登録」ボタンとが表示され、それぞれに必要事項を入力して登録ボタンをクリックすると、それらの情報がサーバ１に送信され、その記憶部Ｍ１３に登録される（ステップＳ６５）。当該の工程の実行された日時及び要した作業人数が登録されることになるわけである。
【図面の簡単な説明】
【０１０９】
【図１】実施例の工事進捗状況管理システムに於けるハードウエア面からの基本構成を示すブロック図。
【図２】実施例の工事進捗状況管理システムに於ける機能に基づく基本構成を示すブロック図。
【図３】実施例の工事進捗状況管理システムに於いて、マスター登録、工事登録及び顧客登録をクライアント（パソコン）から行う際の動作を示すフロー図。
【図４】実施例の工事進捗状況管理システムに於いて、進捗状況を示すデータ及び写真を携帯端末から登録する際の動作を示すフロー図。
【図５】実施例の工事進捗状況管理システムに於いて、進捗状況を示すデータ及び写真をクライアント（パソコン）から登録する際の動作を示すフロー図。
【図６】実施例の工事進捗状況管理システムに於いて、現場監督又は工事担当者がその携帯する携帯端末で進捗状況を参照する際の動作を示すフロー図。
【図７】実施例の工事進捗状況管理システムに於いて、工事管理者がそのクライアントパソコンから進捗状況を参照する際の動作を示すフロー図。
【図８】進捗表示画面を示す説明図。
【図９】実施例の工事進捗状況管理システムに於いて、顧客がその携帯する携帯端末で自己の依頼した工事の進捗状況を参照する際の動作を示すフロー図。
【図１０】実施例の工事進捗状況管理システムに於いて、現場監督がその携帯する携帯端末で実算報告をする際の動作を示すフロー図。
【符号の説明】
【０１１０】
１    サーバ
２    インターネット
３（３−１、３−２、３−３…）  クライアント
４（４−１、４−２、４−３…）  携帯端末
【図１】
2006338561.tif 000003
【図２】
2006338561.tif 000004
【図３】
2006338561.tif 000005
【図４】
2006338561.tif 000006
【図５】
2006338561.tif 000007
【図６】
2006338561.tif 000008
【図７】
2006338561.tif 000009
【図８】
2006338561.tif 000010
【図９】
2006338561.tif 000011
【図１０】
2006338561.tif 000012